(57)【要約】【課題】外部入力機器と外部出力機器との間の接続切替を好適に行う。【解決手段】複数のデータ入力部と複数のデータ出力部との間に配置されるプログラマブル回路部と、プログラマブル回路部を制御する制御部とを備える電子回路において、制御部は、外部出力機器が接続されているデータ出力部の個数を計数する計数手段と、当該個数と同数の中継回路をプログラマブル回路内に生成する生成手段と、データ出力部に接続された外部出力機器とデータ入力部に接続された外部入力機器との各々から特性情報を取得する取得手段と、取得された特性情報に基づいて外部出力機器が接続されているデータ出力部と外部入力機器が接続されているデータ入力部とを中継回路を介して接続する接続手段と、を備える。【選択図】図３
2011082633.tif 000002
【特許請求の範囲】
【請求項１】
各々が外部入力機器からデータを入力するよう構成された複数のデータ入力部と、各々が外部出力機器にデータを出力するよう構成された複数のデータ出力部と、前記複数のデータ入力部と前記複数のデータ出力部との間に配置されるプログラマブル回路部と、該プログラマブル回路部を制御する制御部と、を備える電子機器であって、
前記制御部は、
外部出力機器が接続されている前記データ出力部の個数を計数する計数手段と、
前記計数手段によって計数された前記個数と同数の中継回路を前記プログラマブル回路内に生成する生成手段と、
前記データ出力部に接続された外部出力機器と前記データ入力部に接続された外部入力機器との各々から特性情報を取得する取得手段と、
前記取得手段により取得された特性情報に基づいて、外部出力機器が接続されている前記データ出力部と外部入力機器が接続されている前記データ入力部とを前記中継回路を介して接続する接続手段と、
を備えることを特徴とする電子機器。
【請求項２】
前記特性情報は、前記外部出力機器および前記外部入力機器が取り扱うデータのフォーマット情報であることを特徴とする請求項１に記載の電子機器。
【請求項３】
前記接続手段は、前記取得手段により取得された特性情報が一致する前記外部出力機器と前記外部入力機器とが通信可能となるように、該外部出力機器が接続されている前記データ出力部と該外部入力機器が接続されている前記データ入力部とを前記中継回路を介して接続することを特徴とする請求項１に記載の電子機器。
【請求項４】
前記外部出力機器および前記外部入力機器が取り扱うデータは動画像データを含んでおり、
前記生成手段は、さらに、前記動画像データに対し画像処理を実行する画像処理回路を前記プログラマブル回路内に生成することを特徴とする請求項１に記載の電子機器。
【請求項５】
前記生成手段により生成された中継回路は、該中継回路と接続する外部出力機器および外部入力機器との間の制御信号を併せて中継することを特徴とする請求項１に記載の電子機器。
【請求項６】
各々が外部入力機器からデータを入力するよう構成された複数のデータ入力部と、各々が外部出力機器にデータを出力するよう構成された複数のデータ出力部と、前記複数のデータ入力部と前記複数のデータ出力部との間に配置されるプログラマブル回路部と、該プログラマブル回路部を制御する制御部と、を備える電子機器の制御方法であって、
前記制御部が、
外部出力機器が接続されている前記データ出力部の個数を計数する計数工程と、
前記計数工程によって計数された前記個数と同数の中継回路を前記プログラマブル回路内に生成する生成工程と、
前記データ出力部に接続された外部出力機器と前記データ入力部に接続された外部入力機器との各々から特性情報を取得する取得工程と、
前記取得工程により取得された特性情報に基づいて、外部出力機器が接続されている前記データ出力部と外部入力機器が接続されている前記データ入力部とを前記中継回路を介して接続する接続工程と、
を備えることを特徴とする電子機器の制御方法。
【発明の詳細な説明】
【技術分野】
【０００１】
本発明は、デジタルデータの伝送技術に関するものであり、特に、デジタル動画像信号およびデジタル音声信号の中継技術に関するものである。
【背景技術】
【０００２】
デジタル化されたＡＶ（Audio-Visual）データを伝送するための規格としてＨＤＭＩ（High-Definition Multimedia Interface）規格がある。ＨＤＭＩ規格においては、機器の制御を目的とした非同期シリアルライン（ＣＥＣ：Consumer Electronics Control）が用いられている。ＣＥＣでは、ＨＤＭＩアドレス＝０を割り当てられた表示装置がマスタとなり、当該マスタが、ＨＤＭＩアドレスにゼロ以外を付与された機器（スレーブ）を制御する。
【０００３】
ＨＤＭＩ規格に準拠した入出力端子を具備した従来の中継機器では、複数のＨＤＭＩ入力から選択された任意の１つと複数のＨＤＭＩ出力から選択された任意の１つとを１対１に対応付け中継を行なっている。また、特許文献１には、ＨＤＭＩ表示装置のＨＤＭＩアドレスをゼロ以外の値に設定可能な手段を設け、複数のＨＤＭＩ表示装置に同一又は異なるコンテンツを同時に出力する技術が開示されている。具体的には、ＣＥＣを用いて、接続されている複数の表示装置に対して、特定の１台を除いて、強制的にＨＤＭＩアドレスの値をゼロ以外の値に設定し、更にＨＤＭＩアドレスをダイナミックに変更可能とすることにより実現している。
【０００４】
ところで、メインＴＶと複数のサブＴＶが存在する環境において、サブＴＶのＨＤＭＩアドレスは、規格上ゼロ以外の値に設定しなければならない。しかしＨＤＭＩアドレス＝０のＨＤＭＩ機器が、メインＴＶであり、同一ＨＤＭＩネットワーク内で、ＨＤＭＩアドレスの重複は許されていない。そのため、メインＴＶの物理特性情報であるＥＤＩＤを取得は、ＨＤＭＩスレーブが、ＨＤＭＩマスタに対して要求することにより、ＨＤＭＩマスタから出力されるものであり、サブＴＶのＥＤＩＤを取得するには、サブＴＶをメインＴＶ（ＨＤＭＩアドレス＝０）、メインＴＶをサブＴＶ（ＨＤＭＩアドレスがゼロ以外の値）に変更する必要がある。
【先行技術文献】
【特許文献】
【０００５】
【特許文献１】特開２００８−７９１６８号公報
【発明の概要】
【発明が解決しようとする課題】
【０００６】
しかしながら、ＨＤＭＩアドレスを動的に変更した場合、マスタであるメインＴＶが物理的に変更されているため、ＨＤＭＩネットワーク再構成の実施が必須となる。ここで、ＨＤＭＩネットワークの再構成とは、データ伝送に先立って実行される、マスタとスレーブとの間で行なわれる一連の初期化動作を意味する。具体的には、マスタがスレーブの接続状態を検索し、ＨＤＭＩアドレスを決定する。そして、スレーブがマスタ（表示装置）の特性情報（ＥＤＩＤ：Extended display identification data）を取得し、マスタは、各スレーブの物理特性情報を取得する動作である。
【０００７】
このＨＤＭＩネットワークの再構成が実施されると、一時的に画像や音声が途切れるという現象が不可避であるという問題がある。さらに、表示装置が、ＨＤＭＩアドレスを動的に変更可能に構成されている必要がある。また、メインＴＶとサブＴＶとのＨＤＭＩアドレスを同時に変更するための制御手段を設けることが必須となる。そのため、使用可能な表示装置が限定されるという問題がある。
【０００８】
また、特許文献１に記載の技術においては、サブＴＶのＨＤＭＩアドレスをゼロ以外の値に設定するため、同一ネットワーク上に接続されているＨＤＭＩ機器は、一部の表示装置を表示装置として認識しない。そのため、表示装置として認識されない表示装置のＥＤＩＤを取得することができない。
【０００９】
本発明は上述の問題点に鑑みなされたものであり、上述の１以上の問題点を解決することを目的としている。
【課題を解決するための手段】
【００１０】
上述の問題点を解決するために、本発明の電子機器は以下の構成を備える。すなわち、各々が外部入力機器からデータを入力するよう構成された複数のデータ入力部と、各々が外部出力機器にデータを出力するよう構成された複数のデータ出力部と、前記複数のデータ入力部と前記複数のデータ出力部との間に配置されるプログラマブル回路部と、該プログラマブル回路部を制御する制御部と、を備える電子回路において、前記制御部は、外部出力機器が接続されている前記データ出力部の個数を計数する計数手段と、前記計数手段によって計数された前記個数と同数の中継回路を前記プログラマブル回路内に生成する生成手段と、前記データ出力部に接続された外部出力機器と前記データ入力部に接続された外部入力機器との各々から特性情報を取得する取得手段と、前記取得手段により取得された特性情報に基づいて、外部出力機器が接続されている前記データ出力部と外部入力機器が接続されている前記データ入力部とを前記中継回路を介して接続する接続手段と、を備える。
【発明の効果】
【００１１】
本発明によれば、上述の１以上の問題点を解決可能とする技術を提供することができる。
【図面の簡単な説明】
【００１２】
【図１】第１実施形態に係るＡＶシステムの機能ブロック図である。
【図２】表示装置が１台接続された場合のプログラマブル回路の状態を示す図である。
【図３】表示装置が２台接続された場合のプログラマブル回路の状態を示す図である。
【図４】表示装置が３台接続された場合のプログラマブル回路の状態を示す図である。
【図５】第１実施形態に係るＡＶシステムの動作を説明する図である。
【図６】ＣＥＣメッセージのフォーマットを示す図である。
【図７】ＥＤＩＤ取得又は設定変更時のＣＥＣ回路網の状態を例示的に示す図である。
【図８】表示装置と入力装置との組合せ決定後のＣＥＣ回路網の状態を例示的に示す図である。
【図９】接続された表示装置の検出のためのフローチャートである。
【図１０】ＣＥＣを用いた、表示装置および入力機器からの物理特性情報の取得のためのフローチャートである。
【発明を実施するための形態】
【００１３】
以下に、図面を参照して、この発明の好適な実施の形態を詳しく説明する。なお、以下の実施の形態はあくまで例示であり、本発明の範囲を限定する趣旨のものではない。
【００１４】
（第１実施形態）
本発明に係る電子機器の第１実施形態として、ＨＤＭＩ規格に準拠した外部機器を相互に接続する接続切替装置（以下、ＡＶシステムと呼ぶ）を例に挙げて説明する。
【００１５】
＜装置構成＞
図１は、第１実施形態に係るＡＶシステム１０１１のブロック構成図である。なお、図１においては、ＡＶシステム１０１１の入力側に、外部入力機器である、カムコーダ１００８、コンピュータ１００９、ＤＶＤプレーヤ１０１０が接続されている。また、ＡＶシステム１０１１の出力側に、外部出力機器である、表示装置１００１〜１００３が接続されている。
【００１６】
ＡＶシステム１０１１は、外部入力装置と接続しデータを入力するための入力セレクタ１００５、外部出力装置と接続しデータを出力するための出力セレクタ１００４、を備えている。また、ＡＶシステム１０１１は、入力セレクタ１００５と出力セレクタ１００４との間に配置されたプログラマブル回路１００６（プログラマブル回路部）、および、入力セレクタ１００５、出力セレクタ１００４、プログラマブル回路１００６を制御する制御装置１００７（制御部）を備えている。なお、以下では、出力セレクタ１００４の外部機器側のインタフェースである出力端子（データ出力部）と呼ぶ。また、入力セレクタ１００５の外部機器側のインタフェースである入力端子（データ入力部）と呼ぶ。
【００１７】
ここで、プログラマブル回路とは、ハードウェア的な設定変更、又はソフトウェア的な設定変更により、回路および処理機能を変更可能な回路のことを示している。ハードウェア的な設定変更はディップスイッチの設定変更等を含み、ソフトウェア的な設定変更は、プログラムの変更、レジスタ設定値の変更等を含む。プログラマブル回路は、一般的には、ＤＳＰ、ＦＰＧＡなどにより構成される。
【００１８】
＜装置の動作＞
・接続された表示装置の検出
図９は、第１実施形態に係るＡＶシステム１０１１の動作フローチャートである。特に、接続された表示装置の検出動作に関する動作を示している。なお、以下の動作は、制御装置１００７により実行される。
【００１９】
ステップＳ９０１では、ＡＶシステム１０１１のＨＤＭＩ出力端子の数Ｎをセットする。なお、出力端子（データ出力部）は、出力セレクタ１００４の外部機器側のインタフェースである。また、ステップＳ９０２では、外部出力機器（表示装置）が接続された出力端子の数Ｓの初期化（Ｓ＝０）を行なう。そして、以下で説明するステップＳ９０３〜ステップ９０７により、外部出力機器（表示装置）が接続された出力端子の数Ｓを計数する。
【００２０】
ステップＳ９０３では、Ｎ＝０であるか否かを判定する。Ｎ＝０でない場合はステップＳ９０４に進み、外部出力装置（表示装置）の検出を行なう。一方、Ｎ＝０の場合は外部出力装置（表示装置）が接続されることは無いので、初期値であるＳ＝０のままステップＳ９０８に進む。
【００２１】
ステップＳ９０４では、各ＨＤＭＩ出力端子のホットプラグ（ＨＰＤ）ピンのレベル（ＨｉｇｈまたはＬｏｗ）を検出する。そして、ＨＰＤピンがＨｉｇｈレベルと判定された出力端子には、有効な表示装置が接続されていると判定し、カウンタＳをインクリメントする（Ｓ９０５）。一方、ＨＰＤピンがＬｏｗレベルと判定された出力端子には、有効な表示装置が接続されていないと判定し、Ｓ９０６に進む。
【００２２】
ステップＳ９０６では、Ｎをデクリメントし、ステップＳ９０７では、全ての出力端子に対して検出動作を実行したか否かを判定する。ここでは、Ｎ≦０であるか否かにより判定する。全ての出力端子に対して検出動作を実行した場合、ステップＳ９０８に進み、まだ検出動作を実行していない出力端子がある場合、ステップＳ９０４に戻る。
【００２３】
ステップＳ９０８では、上述の判定の結果、有効な表示装置が接続されていると判定されたＨＤＭＩ出力コネクタを特定する情報（例えば、ＨＤＭＩ出力コネクタに付与されたシリアル番号等）と、有効な表示装置の個数（Ｓ）を図１の１００７で示す制御装置に通知する。
【００２４】
・ＨＤＭＩリピータ回路の生成
上述の、表示装置の検出の後、１００７の制御装置は、相互に独立したＨＤＭＩリピータ回路（中継回路）をプログラマブル回路内部に生成するためのコンフィグレーション・プログラムをプログラマブル回路１００６に送信する。特に、第１実施形態では、コンフィグレーション・プログラムは、接続された表示装置の個数（Ｓ）と同数のＨＤＭＩリピータ回路を生成するよう構成されている。
【００２５】
したがって、接続された表示装置が１台（Ｓ＝１）であれば、図２のように１つのＨＤＭＩリピータ回路をプログラマブル回路１００６内に生成する。そして、接続されている表示装置が２台（Ｓ＝２）であれば、図３のように２つのＨＤＭＩリピータ回路をプログラマブル回路１００６内に生成する。
【００２６】
第１実施形態では、図１に示したように３台（Ｓ＝３）の表示装置が接続されているため、図４のように、３つのＨＤＭＩリピータ回路をプログラマブル回路１００６内に生成する。上述したように、プログラマブル回路１００６内に生成された３つのＨＤＭＩリピータ４１００、４２００、４３００は、互いに独立しており、出力セレクタ４００４を介して表示装置４００１、４００２、４００３と接続される。
【００２７】
・物理特性情報（ＥＤＩＤ）に基づく接続組み合わせの決定
また、有効な表示装置が接続されていると判定された出力端子を特定する情報と、検出された有効な表示装置の数（Ｓ）と、を受信した制御装置１００７は、以下に示す動作により、各表示装置からＥＤＩＤを取得する。ＥＤＩＤとは、表示装置の機種名や設定値を送り側装置（ここでは、ＡＶシステム）に伝える表示装置独自のＩＤのことで、具体的には、各表示装置の解像度やフレームレート等の、取り扱い可能なデータのフォーマット情報のことである。
【００２８】
ＨＤＭＩ規格において、ＥＤＩＤは、８ｂｉｔ単位でシリアルデータ化された後、第１５番ｐｉｎのＳＣＬ（Serial Clock）に同期させて、第１６番ｐｉｎのＳＤＡ（Serial Data）を使って伝送される。ＳＤＡとＳＣＬによるシリアル通信は、フィリップス社が提唱するＩ２Ｃ（Inter-Integrated Circuit）バスに準拠した通信で、マスタ機器とスレーブ機器との間で実施されるもので、通信モードは、マスタ機器が特定のスレーブ機器に送信するマスタライト（Master Write）モードと、マスタ機器が特定のスレーブ機器から受信するマスタリード（Master Read）モードと、の２種類となる。
【００２９】
第１実施形態においては、ＡＶシステム１０１１がマスタ機器となり、表示機器１００１〜１００３がスレーブ機器となる。そして、制御装置１００７が、各表示装置を１台づつスレーブ機器に指定し、マスタリードモードでＥＤＩＤを取得する。表示装置からＥＤＩＤを取得する手順は、入力機器から物理特性情報を取得する手順と併せて、図１０を参照して後で説明する。なお、ここで、物理特性情報とは、入力機器が取り扱うことが出来る映像信号の特性を示す情報であり、例えば、解像度、フレームレート、スキャンモード（プログレッシブ／インターレース）等を挙げることが出来る。
【００３０】
表示装置１００１〜１００３からＥＤＩＤを取得した１００７の制御装置は、取得したＥＤＩＤに基づいて、表示装置１００１〜１００３の各々における、最高解像度、最高フレームレート、プログレッシブ・スキャンの可否、を判定する。
【００３１】
ＣＥＣは制御信号であり、データ線のみを用いた非同期のシリアル通信である。そのため、図４に示すように、４００１のＡＶシステムに３台の表示装置４００１〜４００３と、３台の入力装置４００８〜４０１０が、接続された状態である場合、ＣＥＣ制御線の接続構成として幾つかのパターンを考えることが出来る。ここでは、図７に示すＣＥＣの接続構成を例にとって説明する。
【００３２】
図７において、７００１は３台の表示装置を示しており、７００２は３台の入力装置を示している。また、７００３は各表示装置に対する専用ＣＥＣ端子群であり、７００４は各入力装置に対する専用ＣＥＣ端子群である。７００７は出力セレクタであり、７００８は入力セレクタである。
【００３３】
各入力機器からの物理特性情報の取得は、ＣＥＣメッセージのフォーマットにしたがって実施される。具体的には、図６の６００１に示すように、オペコード（Opecode）部に０ｘ８９（８ｂｉｔ値）をセットし、メーカの独自の命令セットや設定情報を伝送する。
【００３４】
上述したように、ＣＥＣメッセージフォーマットにおけるオペランド部は、１０ｂｉｔの領域で、先頭の８ｂｉｔがオペコード、続く１ｂｉｔがＥＯＭ（End Of Message）、の計９ｂｉｔを送信する。受信側では、送信された９ｂｉｔを正常に受信したら、Ａｃｋ＝”０”（１ｂｉｔ値）を返信するというものである。データのフォーマットは、Ｉ２Ｃバスにおける信号に似ている。ただし、ＣＥＣは非同期通信、Ｉ２Ｃは同期通信であるところが大きく異なる点である。
【００３５】
ＣＥＣメッセージフォーマット（図６参照）では、まず送信側が、通信開始を示すスタートビット６００８（１ｂｉｔ値）を送信する。続いて、図６の６００９に示すヘッダ部の先頭８ｂｉｔ（送り側アドレス（４ｂｉｔ）＋宛先アドレス（４ｂｉｔ））にメッセージの最後であるか否かを表すＥＯＭ（１ｂｉｔ値）６００６を加えた合計９ｂｉｔのメッセージを送信する。受信側（宛先アドレス）では、送信された９ｂｉｔを正常に受信すると、６００７で示すＡｃｋ＝”０”（１ｂｉｔ値）を送信する。
【００３６】
送信側では、６００７で示すＡｃｋ＝”０”（１ｂｉｔ値）を受信すると、これ以降、送信側から送信されるデータが、メーカ独自（ＣＥＣ規格外）の情報であることを示すオペコード＝０ｘ８９（８ｂｉｔ値）６００１にＥＯＭ（１ｂｉｔ値）６０１０を加えた計９ｂｉｔを受信側へ送信する。受信側では、送信された９ｂｉｔを正常に受信すると、と同様にＡｃｋ＝”０”（１ｂｉｔ値）６０１１を送信する。
【００３７】
６００１で示すオペコード＝０ｘ８９に対応するＡｃｋ＝”０”（１ｂｉｔ値）６０１１を送信側が受信すると、メーカ独自情報（命令セットや設定情報）を８ｂｉｔ単位で分割し、分割した先頭の８ｂｉｔデータ６００２にＥＯＭ（１ｂｉｔ値）６０１２を加えた計９ｂｉｔを受信側へ送信する。受信側では、メーカ独自情報の先頭８ｂｉｔを含む９ｂｉｔを正常に受信すると、同様にＡｃｋ＝”０”（１ｂｉｔ値）６０１３を送信する。
【００３８】
そして、メーカ独自情報の先頭８ｂｉｔを含む９ｂｉｔに対するＡｃｋ＝”０”（１ｂｉｔ値）を送信側が受信するというサイクルをメーカ独自情報の送信完了まで繰り返す。なお、メーカ独自情報の最後の８ｂｉｔの送信は、ＥＯＭの値を”１”にセットする（６０１４）ところが異なる。メーカ独自情報の最後の８ｂｉｔ＋ＥＯＭの１ｂｉｔの計９ｂｉｔを正常に受信した受信側からＡｃｋ＝”０”（１ｂｉｔ値）（６０１５）を送信側が受信した時点で、メーカ独自情報の送信が完了する。
【００３９】
送信側が、データ（オペコード＋ＥＯＭの計９ｂｉｔ）を送信してから予め設定された任意の時間内にＡｃｋ＝”０”（１ｂｉｔ値）を受信しなかった場合、リトライ（すなわち、同じメッセージ（８ｂｉｔ）とＥＯＭ（１ｂｉｔ）の計９ｂｉｔの再送信）を実施する。
【００４０】
リトライには、繰り返し回数の上限値が設定され得る。リトライの回数が、繰り返し回数の上限値に達した場合、Ａｃｋ＝”０”（１ｂｉｔ値）が受信できなくても次のメッセージ送信に移行する。なお、ＣＥＣの規定では、リトライ回数を５回と規定している。
【００４１】
入力機器１００８〜１０１０と表示装置１００１〜１００３との接続の組合せは任意である。そのため、１００４の出力セレクタおよび１００５で示す入力セレクタをユーザーが任意に制御することにより所望の組合せに設定することが出来る。また、予めデフォルト設定を用意し、ユーザーからの設定変更が無い場合は、当該デフォルト設定の組合せを有効にしてもよい。
【００４２】
入力機器１００８〜１０１０が、メーカ独自コマンド対応の機器である場合、メーカ独自コマンド伝送機能を各入力機器に対して適用するように１００７制御装置をプログラムしてもよい。
【００４３】
この場合、図６に示すＣＥＣメッセージのアドレス部６００９において、
送信先（Destination）アドレス  ＝  ＡＶシステムのアドレス
送信元（Source）アドレス  ＝  各入力機器（１００８〜１０１０）のアドレス
となる。また、６００４で示すオペコードは、各入力機器から出力される映像信号および音声信号の物理特性情報の出力命令となる。さらに、それ以降のオペコードは、各入力機器が出力する映像信号、音声信号の物理特性情報となる。
【００４４】
上述の処理を実施するよう１００７の制御装置にプログラムし、取得した物理特性情報に基づいて各入力機器と各表示装置との接続の組み合わせを決定するよう構成してもよい。たとえば、物理特性情報に示される映像信号の仕様（画像サイズ、フレームレート等）が一致するような組み合わせを決定する。そして、決定した組み合わせに基づいて、入力セレクタ４００５および出力セレクタ４００４を制御するように制御装置４００７をプログラムしてもよい。
【００４５】
図１０は、第１実施形態に係るＡＶシステム１０１１の動作フローチャートである。特に、入力セレクタと出力セレクタの設定動作を示している。以下では、初期状態において、４００７の制御装置は、接続されている各入力機器、表示装置（図７の７００１および７００２）の物理特性（仕様）が不明であると仮定する。
【００４６】
ステップＳ１００１では、４００７の制御装置は、４００７の制御装置は、各入力機器、表示装置（７００１，７００２）の物理特性情報を取得するために、まず７００７に示す出力セレクタと、７００８に示す入力セレクタを全て接点（４）側に切り替える。
【００４７】
ステップＳ１００２では、４００７の制御装置は、７００３の専用ＣＥＣ端子群（１）〜（３）を介して、各表示装置に対して物理特性情報（ＥＤＩＤ）出力要求を送信する。７００３の専用ＣＥＣ端子群の各端子は、７００７の出力セレクタを経由して、７００１に含まれる各表示装置に接続される。
【００４８】
図７の接続においては、各表示装置と制御装置４００７とは、それぞれ一対一の関係で接続されている。例えば、７００３の専用ＣＥＣ端子群の端子（３）からプロジェクタ７００１ａに対して送信されたＣＥＣデータは、プロジェクタ７００１ｂおよび７００１ｃにより受信されることはない。したがって、各表示装置に共通なＣＥＣデータは、７００３の専用ＣＥＣ端子群（１）〜（３）に同一データを送出すれば良い。
【００４９】
ステップＳ１００３では、４００７の制御装置は、７００４の専用ＣＥＣ端子群の各端子（４）〜（６）を介して、各入力装置に対して物理特性情報（ＥＤＩＤ）出力要求を送信する。
【００５０】
ステップＳ１００４では、各表示装置および各入力装置は、４００７の制御装置から送信された物理特性情報（ＥＤＩＤ）出力要求を受信したか否かを判定する。そして、物理特性情報（ＥＤＩＤ）出力要求を受信したと判定した場合、ステップＳ１００５において自身の物理特性情報（ＥＤＩＤ）を制御装置４００７に送信する。なお、物理特性情報（ＥＤＩＤ）の取得の詳細については、既に説明したため、ここでは省略する。
【００５１】
ステップＳ１００６では、制御装置４００７は、接続されている全ての各表示装置および各入力装置から物理特性情報（ＥＤＩＤ）を受信したか否かを判定する。接続されている全ての各表示装置および各入力装置から物理特性情報（ＥＤＩＤ）を受信したと判定した場合、ステップＳ１００７に進む。
【００５２】
ステップＳ１００７では、制御装置４００７は、取得した各表示装置および各入力装置から物理特性情報（ＥＤＩＤ）に基づいて、接続の組み合わせを算出する。そして、ステップＳ１００８では、ステップＳ１００７で算出した組み合わせを満たすように、入力セレクタ４００５および出力セレクタ４００４を制御する。
【００５３】
図８は、入力セレクタおよび出力セレクタの制御後の状態を示す図である。具体的には、以下の組み合わせで接続するよう制御する。
【００５４】
１）表示装置４００１と入力装置（ＤＶＤプレーヤ）４０１０
２）表示装置４００２と入力装置（カムコーダ）４００８
３）表示装置４００３と入力装置（ＰＣ）４００９
図７と同様、説明を分かり易くするために、ＨＤＭＩリピータを省略した図となっている。ただし、実際には、図４に示すように各入力装置、表示装置のペアの間にＨＤＭＩリピータが１つ介在するように構成されている。表示装置と入力装置のペアリングは、４００７の制御装置の制御により、７００７の出力セレクタおよび７００８の入力セレクタを制御することにより実現されるが、任意の手段により、意図的にペアリングを手動（強制）変更することも可能である。各表示装置および各入力装置のペアリングに関する情報は、４００７の制御装置の管理下にある任意の記憶手段に記憶・保持される。
【００５５】
各表示装置および各入力装置はＨＤＭＩリピータを介して接続されると、接続された表示装置および入力装置との間でＨＤＭＩコンフィグレーションが実施される。具体的には、４００１の表示装置はＨＤＭＩアドレス＝”０”、４０１０のＤＶＤプレーヤには、再生装置を示す”４”，”８”，”１１”のいずれか１つの値が割り当てられる。同様に、表示装置４００２と入力機器（カムコーダ）４００８との間、表示装置４００３と入力機器（ＰＣ）４００９との間でもＨＤＭＩコンフィグレーションが実施される。ただし、入力機器（カムコーダ）４００８には、ＨＤＭＩアドレス＝”１”，”２”，”９”（録音機器）又は、ＨＤＭＩアドレス＝”４”，”８”，”１１”（再生機器）のいずれか１つの値、入力機器（ＰＣ）４００９には、現状割り当てが決められていないＨＤＭＩアドレス＝”１２”，”１３”，”１５”のいずれかが割り振られる。
【００５６】
上述したように、各表示装置と各入力機器との組み合わせは独立している。つまり、表示装置４００１は、入力機器４０１０（ＤＶＤプレーヤ）とは接続されている（通信可能）が、カムコーダ４００８およびＰＣ４００９とは接続されておらず通信不能である。同様に表示装置４００２は、ＰＣ４００９およびＤＶＤプレーヤ４０１０と非接続（通信不能）である。更に、表示装置４００３は、カムコーダ４００８およびＤＶＤプレーヤ４０１０と非接続（通信不能）である。そのため、全ての表示装置についてＨＤＭＩアドレス＝０と設定することが可能となる。
【００５７】
なお、図４においては、プログラマブル回路４００６内にはＨＤＭＩリピータのみ含まれるように示されている。しかし、ＣＰＵ内蔵のＦＰＧＡやＤＳＰを採用することにより、プログラマブル回路４００６内に制御装置４００７を含む構成としても良い。さらに、プログラマブル回路４００６内に入力セレクタ４００６および出力セレクタ４００４を含むよう構成してもよい。
【００５８】
以上説明したとおり本実施形態によれば、表示装置と入力装置との接続を独立したＨＤＭＩネットワークとして構成することが可能となる。それにより、接続された表示装置のＨＤＭＩアドレスを変更することなく、入力装置は表示装置のＥＤＩＤを取得することができる。また、複数の表示装置のＨＤＭＩアドレスを強制変更するといった特殊な機能を表示装置側に要求することもないという利点がある。
【００５９】
また、プログラマブル回路４００６内に画像処理回路を配置あるいは生成し、外部入力機器から入力された画像データ（動画像データを含む）を処理させるよう構成してもよい。
【図１】
2011082633.tif 000003
【図２】
2011082633.tif 000004
【図３】
2011082633.tif 000005
【図４】
2011082633.tif 000006
【図５】
2011082633.tif 000007
【図６】
2011082633.tif 000008
【図７】
2011082633.tif 000009
【図８】
2011082633.tif 000010
【図９】
2011082633.tif 000011
【図１０】
2011082633.tif 000012